(57)【要約】【課題】ＭＰＥＧ２−ＴＳを記録する場合、ストリームデータをそのまま記録すると再生時に正しい映像が表示されるまでに遅延が発生し、記憶媒体容量の無駄につながる。【解決手段】トランスポートストリームデータを記録する際、ユーザから記録指示が出されたときに、メイン処理装置１０２５においてストリームデータの解析を行う。そしてＰＡＴ、ＤＩＴ、ＰＣＴ等のパケットの到着時刻に基づいて、記録開始点を適切に設定することにより、再生不可能なストリームデータの記録を防止することができ、記録容量の無駄を省くようにする。【選択図】図２
2005198143.tif 000002
【特許請求の範囲】
【請求項１】
ストリームデータを受信して情報記録媒体に記録し、前記記録されたストリームデータを読み出して再生および／または出力する記録再生装置において、
記録開始指示を受けたとき、受信したストリームデータを解析して所定の記録開始点を探索し、検出された前記記録開始点以降のストリームデータを前記情報記録媒体に記録し、
再生指示を受けたとき、前記情報記録媒体から前記記録開始点以降のストリームデータを読み出して前記ストリームデータを再生することを特徴とする記録再生装置。
【請求項２】
請求項１に記載の記録再生装置において、前記記録開始点がＰＡＴ（Ｐｒｏｇｒａｍ  Ａｓｓｏｃｉａｔｉｏｎ  Ｔａｂｌｅ）パケットの到着時刻であることを特徴とする記録再生装置。
【請求項３】
請求項１に記載の記録再生装置において、前記記録開始点がＤＩＴ（Ｄｉｓｃｏｎｔｉｎｕｉｔｙ  Ｉｎｆｏｒｍａｔｉｏｎ  Ｔａｂｌｅ）パケットの到着時刻であることを特徴とする記録再生装置。
【請求項４】
請求項１に記載の記録再生装置において、前記記録開始点がＰＣＲ（Ｐｒｏｇｒａｍ  Ｃｌｏｃｋ  Ｒｅｆｅｒｅｎｃｅ）パケットの到着時刻であることを特徴とする記録再生装置。
【請求項５】
ストリームデータを受信して情報記録媒体に記録し、前記記録されたストリームデータを読み出して再生する記録再生方法であって、
記録開始指示を受けたとき、受信したストリームデータを解析して所定の記録開始点を探索し、検出された前記記録開始点以降のストリームデータを前記情報記録媒体に記録し、再生指示を受けたとき、前記情報記録媒体から前記記録開始点以降のストリームデータを読み出して前記ストリームデータを再生することを特徴とする記録再生方法。
【請求項６】
請求項５に記載の記録再生方法において、前記記録開始点がＰＡＴ（Ｐｒｏｇｒａｍ  Ａｓｓｏｃｉａｔｉｏｎ  Ｔａｂｌｅ）パケットの到着時刻であることを特徴とする記録再生方法。
【請求項７】
請求項５に記載の記録再生方法において、前記記録開始点がＤＩＴ（Ｄｉｓｃｏｎｔｉｎｕｉｔｙ  Ｉｎｆｏｒｍａｔｉｏｎ  Ｔａｂｌｅ）パケットの到着時刻であることを特徴とする記録再生方法。
【請求項８】
請求項５に記載の記録再生方法において、前記記録開始点がＰＣＲ（Ｐｒｏｇｒａｍ  Ｃｌｏｃｋ  Ｒｅｆｅｒｅｎｃｅ）パケットの到着時刻であることを特徴とする記録再生方法。
【請求項９】
ストリームデータを受信して情報記録媒体に記録し、前記記録されたストリームデータを読み出して再生および／または出力する記録再生装置において、
受信したストリームデータを一時メモリに蓄積し、
記録開始指示を受けたとき、前記一時メモリ中のストリームデータの中から、前記記録開始指示の直前の所定の記録開始点を探索し、検出された前記記録開始点以降のストリームデータを前記情報記録媒体に記録し、
再生指示を受けたとき、前記情報記録媒体から前記記録開始点以降のストリームデータを読み出してストリームデータを再生および／または出力することを特徴とする記録再生装置。
【請求項１０】
請求項９に記載の記録再生装置における一時メモリ容量は、記録すべきストリームデータのビットレートをＲｓ（ｂｐｓ）とした場合、Ｒｓ／１０（ｂｉｔｓ）以上のサイズを有することを特徴とする記録再生装置。
【請求項１１】
請求項９に記載の記録再生装置における一時メモリ容量は、記録すべきストリームデータのビットレートをＲｓ（ｂｐｓ）とした場合、Ｒｓ／２（ｂｉｔｓ）以上のサイズを有することを特徴とする記録再生装置。
【請求項１２】
請求項９に記載の記録再生装置における一時メモリ容量は、記録すべきストリームデータのビットレートをＲｓ（ｂｐｓ）とした場合、Ｒｓ（ｂｉｔｓ）以上のサイズを有することを特徴とする記録再生装置。
【請求項１３】
請求項９に記載の記録再生装置において、記録開始指示を受けた時点で表示装置に出力されている映像及び音声に対応する映像データと音声データについて、前記一時メモリに中に蓄えられていたストリームデータ内での位置を検出する位置探索手段を備え、
検出された位置に最も近く、時間的に前、もしくは後の前記所定の記録開始点を探索し、前記一時メモリ内のストリームデータを、前記記録開始点から情報記録媒体に記録することを特徴とする記録再生装置。
【請求項１４】
ストリームデータを受信して情報記録媒体に記録し、前記記録されたストリームデータを読み出して再生および／または出力する記録再生方法であって、
受信したストリームデータを一時メモリに蓄積し、
記録開始指示を受けたとき、前記一時メモリ中のストリームデータの中から、前記記録開始指示の直前の所定の記録開始点を探索し、検出された前記記録開始点以降のストリームデータを前記情報記録媒体に記録し、
再生指示を受けたとき、前記情報記録媒体から前記記録開始点以降のストリームデータを読み出してストリームデータを再生および／または出力することを特徴とする記録再生方法。
【請求項１５】
請求項１４に記載の記録再生方法において、記録開始指示を受けた時点で表示装置に出力されている映像及び音声に対応する映像データと音声データについて、前記一時メモリに中に蓄えられていたストリームデータ内での位置を検出する位置探索手段を備え、
検出された位置に最も近く、時間的に前、もしくは後の前記最適な記録開始時点を探索し、前記一時メモリ内のストリームデータを、前記記録開始点から情報記録媒体に記録することを特徴とする記録再生方法。
【請求項１６】
ストリームデータを受信して情報記録媒体に記録し、前記記録されたストリームデータを読み出して再生および／または出力する記録再生装置において、
前記情報記録媒体に記録したストリームデータを解析し、解析結果情報をストリームデータとは別の情報として、前記記録されたストリームデータと関連付けて記録し、
再生開始指示を受けたとき、前記情報記録媒体上の再生すべきストリームデータに関連付けられた、前記解析結果情報に基づいて記録再生装置の設定を行い、前記情報記録媒体から前記ストリームデータを読み出してストリームデータを再生および／または出力することを特徴とする記録再生装置。
【請求項１７】
請求項１６に記載の記録再生装置において、前記解析結果情報と、関連付けられた前記情報記録媒体上のストリームデータの内容が一致しているかどうかを判定する手段をさらに備えた記録再生装置。
【請求項１８】
請求項１７に記載の記録再生装置において、前記情報記録媒体中の前記解析結果情報と、関連付けられた前記情報記録媒体上のストリームデータの内容が一致しているかどうかの判定を、前記再生開始指示が出されてから行う記録再生装置。
【請求項１９】
請求項１７に記載の記録再生装置において、前記情報記録媒体中の前記解析結果情報と、関連付けられた前記情報記録媒体上のストリームデータの内容が一致しているかどうかの判定を、前記再生開始指示が出される前に予め実施する記録再生装置。
【請求項２０】
請求項１７に記載の記録再生装置において、前記情報記録媒体中の前記解析結果情報と、関連付けられた前記情報記録媒体上のストリームデータの内容が一致しているかどうかの判定結果を、前記解析結果情報と関連付けて前記情報記録媒体に記録する記録再生装置。
【請求項２１】
ストリームデータを受信して情報記録媒体に記録し、前記記録されたストリームデータを読み出して再生、及び出力する記録再生方法であって、
前記情報記録媒体に記録したストリームデータを解析し、解析結果情報をストリームデータとは別の情報として、前記記録されたストリームデータと関連付けて記録し、
再生開始指示を受けたとき、前記情報記録媒体上の再生すべきストリームデータに関連付けられた、前記解析結果情報に基づいて記録再生装置の設定を行い、前記情報記録媒体から前記ストリームデータを読み出してストリームデータを再生および／または出力することを特徴とする記録再生方法。
【請求項２２】
請求項２１に記載の記録再生方法において、前記解析結果情報と、関連付けられた前記情報記録媒体上のストリームデータの内容が一致しているかどうかを判定する手段をさらに備えた記録再生方法。
【請求項２３】
請求項２２に記載の記録再生方法において、前記情報記録媒体中の前記解析結果情報と、関連付けられた前記情報記録媒体上のストリームデータの内容が一致しているかどうかの判定を、前記再生開始指示が出されてから行う記録再生方法。
【請求項２４】
請求項２２に記載の記録再生方法において、前記情報記録媒体中の前記解析結果情報と、関連付けられた前記情報記録媒体上のストリームデータの内容が一致しているかどうかの判定を、前記再生開始指示が出される前に予め実施する記録再生方法。
【請求項２５】
請求項２２に記載の記録再生方法において、前記情報記録媒体中の前記解析結果情報と、関連付けられた前記情報記録媒体上のストリームデータの内容が一致しているかどうかの判定結果を、前記解析結果情報と関連付けて前記情報記録媒体に記録する記録再生方法。
【請求項２６】
ストリームデータを受信して情報記録媒体に記録する記録装置において、
記録開始指示を受けたとき、受信したストリームデータを解析して所定の記録開始点を探索し、検出された前記記録開始点以降のストリームデータを前記情報記録媒体に記録することを特徴とする記録装置。
【請求項２７】
ストリームデータを受信して情報記録媒体に記録する記録方法であって、
記録開始指示を受けたとき、受信したストリームデータを解析して所定の記録開始点を探索し、検出された前記記録開始点以降のストリームデータを前記情報記録媒体に記録することを特徴とする記録方法。
【発明の詳細な説明】
【技術分野】
【０００１】
本発明は読み書き可能な情報記録媒体を使用して情報を記録、再生する記録装置であり、動画像データおよび静止画データ及びオーディオデータ及びデータ放送等、種々のフォーマットのデータを含むマルチメディアデータを記録可能な情報記録装置に関する。さらに、本発明はそのような情報記録装置に対して情報の記録、再生を行う方法にも関する。
【背景技術】
【０００２】
６５０ＭＢ程度が上限であった書き換え型光ディスクの分野で数ＧＢの容量を有する相変化型ディスクＤＶＤ−ＲＡＭが出現した。デジタルＡＶデータの符号化規格であるＭＰＥＧ（ＭＰＥＧ２）の実用化とあいまってＤＶＤ−ＲＡＭは、コンピュータ用途だけでなくオーディオ・ビデオ（ＡＶ）技術分野における記録・再生メディアとして広く利用されている。
【０００３】
また、近年、上記光ディスクの発展型として、青色レーザまたは青紫色レーザを利用した、さらに大容量な光ディスクも出現し（Ｂｌｕ−ｒａｙ  ＤＩＳＣ等）、光ディスク技術の更なる発展が進んでいる。
【０００４】
これと同時に、各種デジタル放送が開始され、ＳＴＢ（Ｓｅｔ  Ｔｏｐ  Ｂｏｘ）や、ＨＤＤレコーダ、前記光ディスクを使用したレコーダによって、比較的安価な環境でデジタル放送を受信、記録再生できるようになってきている。
【０００５】
ここで、デジタル放送に使用されているストリームデータを記録する場合、ユーザが記録開始指示を出した時点から、受信中のストリームデータをＨＤＤ、光ディスク等の記憶媒体に記録することは可能であるが、前記記憶媒体に記録されたストリームデータの再生時には、ＰＡＴパケット、ＰＭＴパケット等の番組構成情報や、ＰＣＲパケットにおける番組内時刻同期情報を読み出し、それらの情報に基づいて再生装置の設定を行い、再生を開始することが必要不可欠である。
【０００６】
従来の記録・再生方式では、ユーザが記録を指示した時点からストリームデータの記録を開始し、ＰＡＴ、ＰＭＴ、ＰＣＲ以外のパケットから記録を行ってしまうため、再生不可能なデータまでも記憶媒体に記録してしまい、結果として記憶容量の無駄につながってしまうこととなる。またこのような場合、ユーザにより再生動作の指示が行われてから、実際に視聴可能な映像が表示するまでに、時間的な遅延が発生することも問題である。
【０００７】
またこれらの問題を解決するため、記録媒体にストリームデータを記録する時に、ストリームデータを解析し、解析結果をストリームデータに関連付けて記録するという規格が策定されているが、再生を行う記録再生装置で記録された記録媒体を使用して再生する場合や、記録を行った記録再生装置以外で編集が実施された記録媒体を再生する場合、前記解析結果情報を信用して記録再生装置の設定を行い、再生を行うと、前記解析結果情報とストリームデータの真の情報とのずれが発生していた場合、再生が正常に行われないだけではなく、異常な信号を送出してしまい、表示装置や視聴者に致命的な損傷を与えることが懸念されている。
【０００８】
ストリームデータの記録再生に関しては、従来から種々の技術の開発がなされている（例えば特許文献１参照）。しかし、これはＭＰＥＧ映像のシーケンスヘッダからの記録だけに着目したものであり、ＭＰＥＧ２−ＴＳの特性に着目したものではない。
【特許文献１】特開２００１−７８１５０号公報
【発明の開示】
【発明が解決しようとする課題】
【０００９】
課題とするところは、記録再生装置において記録開始指示があったとき、その直後、又は直前のＰＡＴパケットもしくはＰＭＴパケットもしくはＰＣＲパケット以降のストリームデータを記録することにより、ユーザによる再生指示時直後に視聴可能な映像と音声を出力することが可能な、記録再生装置及び方法を提供することを目的としている。
【課題を解決するための手段】
【００１０】
本発明の記録再生装置は、ストリームデータを受信して情報記録媒体に記録し、前記記録されたストリームデータを読み出して再生および／または出力する記録再生装置において、記録開始指示を受けたとき、受信したストリームデータを解析して所定の記録開始点を探索し、検出された前記記録開始点以降のストリームデータを前記情報記録媒体に記録し、再生指示を受けたとき、前記情報記録媒体から前記記録開始点以降のストリームデータを読み出して前記ストリームデータを再生することを特徴とする。
【００１１】
また、前記記録開始点がＰＡＴ（Ｐｒｏｇｒａｍ  Ａｓｓｏｃｉａｔｉｏｎ  Ｔａｂｌｅ）パケットの到着時刻であることを特徴とする。
【００１２】
また、前記記録開始点がＤＩＴ（Ｄｉｓｃｏｎｔｉｎｕｉｔｙ  Ｉｎｆｏｒｍａｔｉｏｎ  Ｔａｂｌｅ）パケットの到着時刻であることを特徴とする。
【００１３】
また、前記記録開始点がＰＣＲ（Ｐｒｏｇｒａｍ  Ｃｌｏｃｋ  Ｒｅｆｅｒｅｎｃｅ）パケットの到着時刻であることを特徴とする。
【００１４】
また、本発明の記録再生方法は、ストリームデータを受信して情報記録媒体に記録し、前記記録されたストリームデータを読み出して再生する記録再生方法であって、記録開始指示を受けたとき、受信したストリームデータを解析して所定の記録開始点を探索し、検出された前記記録開始点以降のストリームデータを前記情報記録媒体に記録し、再生指示を受けたとき、前記情報記録媒体から前記記録開始点以降のストリームデータを読み出して前記ストリームデータを再生することを特徴とする。
【００１５】
また、本発明の記録再生装置は、ストリームデータを受信して情報記録媒体に記録し、前記記録されたストリームデータを読み出して再生および／または出力する記録再生装置において、受信したストリームデータを一時メモリに蓄積し、記録開始指示を受けたとき、前記一時メモリ中のストリームデータの中から、前記記録開始指示の直前の所定の記録開始点を探索し、検出された前記記録開始点以降のストリームデータを前記情報記録媒体に記録し、再生指示を受けたとき、前記情報記録媒体から前記記録開始点以降のストリームデータを読み出してストリームデータを再生および／または出力することを特徴とする。
【００１６】
また、一時メモリ容量は、記録すべきストリームデータのビットレートをＲｓ（ｂｐｓ）とした場合、Ｒｓ／１０（ｂｉｔｓ）以上のサイズを有することを特徴とする。
【００１７】
また、一時メモリ容量は、記録すべきストリームデータのビットレートをＲｓ（ｂｐｓ）とした場合、Ｒｓ／２（ｂｉｔｓ）以上のサイズを有することを特徴とする。
【００１８】
また、一時メモリ容量は、記録すべきストリームデータのビットレートをＲｓ（ｂｐｓ）とした場合、Ｒｓ（ｂｉｔｓ）以上のサイズを有することを特徴とする。
【００１９】
また、記録開始指示を受けた時点で表示装置に出力されている映像及び音声に対応する映像データと音声データについて、前記一時メモリに中に蓄えられていたストリームデータ内での位置を検出する位置探索手段を備え、検出された位置に最も近く、時間的に前、もしくは後の前記所定の記録開始点を探索し、前記一時メモリ内のストリームデータを、前記記録開始点から情報記録媒体に記録することを特徴とする。
【００２０】
また、本発明の記録再生方法は、ストリームデータを受信して情報記録媒体に記録し、前記記録されたストリームデータを読み出して再生および／または出力する記録再生方法であって、受信したストリームデータを一時メモリに蓄積し、記録開始指示を受けたとき、前記一時メモリ中のストリームデータの中から、前記記録開始指示の直前の所定の記録開始点を探索し、検出された前記記録開始点以降のストリームデータを前記情報記録媒体に記録し、再生指示を受けたとき、前記情報記録媒体から前記記録開始点以降のストリームデータを読み出してストリームデータを再生および／または出力することを特徴とする。
【００２１】
また、記録開始指示を受けた時点で表示装置に出力されている映像及び音声に対応する映像データと音声データについて、前記一時メモリに中に蓄えられていたストリームデータ内での位置を検出する位置探索手段を備え、検出された位置に最も近く、時間的に前、もしくは後の前記最適な記録開始時点を探索し、前記一時メモリ内のストリームデータを、前記記録開始点から情報記録媒体に記録することを特徴とする。
【００２２】
また、本発明の記録再生装置は、ストリームデータを受信して情報記録媒体に記録し、前記記録されたストリームデータを読み出して再生および／または出力する記録再生装置において、前記情報記録媒体に記録したストリームデータを解析し、解析結果情報をストリームデータとは別の情報として、前記記録されたストリームデータと関連付けて記録し、再生開始指示を受けたとき、前記情報記録媒体上の再生すべきストリームデータに関連付けられた、前記解析結果情報に基づいて記録再生装置の設定を行い、前記情報記録媒体から前記ストリームデータを読み出してストリームデータを再生および／または出力することを特徴とする。
【００２３】
また、前記解析結果情報と、関連付けられた前記情報記録媒体上のストリームデータの内容が一致しているかどうかを判定する手段をさらに備えたことを特徴とする。
【００２４】
また、前記情報記録媒体中の前記解析結果情報と、関連付けられた前記情報記録媒体上のストリームデータの内容が一致しているかどうかの判定を、前記再生開始指示が出されてから行うことを特徴とする。
【００２５】
また、前記情報記録媒体中の前記解析結果情報と、関連付けられた前記情報記録媒体上のストリームデータの内容が一致しているかどうかの判定を、前記再生開始指示が出される前に予め実施する。
【００２６】
また、前記情報記録媒体中の前記解析結果情報と、関連付けられた前記情報記録媒体上のストリームデータの内容が一致しているかどうかの判定結果を、前記解析結果情報と関連付けて前記情報記録媒体に記録する。
【００２７】
また、本発明の記録再生方法は、ストリームデータを受信して情報記録媒体に記録し、前記記録されたストリームデータを読み出して再生、及び出力する記録再生方法であって、前記情報記録媒体に記録したストリームデータを解析し、解析結果情報をストリームデータとは別の情報として、前記記録されたストリームデータと関連付けて記録し、再生開始指示を受けたとき、前記情報記録媒体上の再生すべきストリームデータに関連付けられた、前記解析結果情報に基づいて記録再生装置の設定を行い、前記情報記録媒体から前記ストリームデータを読み出してストリームデータを再生および／または出力することを特徴とする。
【００２８】
また本発明の記録装置は、ストリームデータを受信して情報記録媒体に記録する記録装置において、記録開始指示を受けたとき、受信したストリームデータを解析して所定の記録開始点を探索し、検出された前記記録開始点以降のストリームデータを前記情報記録媒体に記録することを特徴とする。
【００２９】
また本発明の記録方法は、ストリームデータを受信して情報記録媒体に記録する記録方法であって、記録開始指示を受けたとき、受信したストリームデータを解析して所定の記録開始点を探索し、検出された前記記録開始点以降のストリームデータを前記情報記録媒体に記録することを特徴とする。
【発明の効果】
【００３０】
以上のような、本発明の記録再生装置によれば、ストリームデータを記録する際に、ストリームデータを再生するために必要な番組構成情報をもつ、ＰＡＴ、ＰＭＴ、ＰＣＲ、ＤＩＴパケットを先頭にして、記録するため、記録したストリームデータを直ちに正常に再生することができ、記録媒体の容量の削減も可能である。
【発明を実施するための最良の形態】
【００３１】
以下、添付の図面を用いて本発明に係る記録再生装置及び記録再生方法の実施形態について説明する。
【００３２】
まず最初に、図１を参照することにより本発明のシステム構成例について説明する。図１は、デジタル放送受信記録再生システムの構成を示したものである。この発明のデジタル放送受信記録再生システムは、アンテナ１０６、及び受信装置１０７、及び表示装置１０８、及び記録再生装置１０９から構成されている。
【００３３】
アンテナ１０６は、送信機１０１０からのデジタル放送電波を受信する。受信装置１０７は、アンテナ１０６により受信したデジタル放送電波の受信処理を行って、映像信号と音声信号とを出力することが可能なものである。表示装置１０８は、受信装置１０７から出力された映像信号、及び音声信号によって、映像、及び音声を人間が感知できる状態で出力する。
【００３４】
また、記録再生装置１０９内には、記録媒体１０１１が装填されており、受信装置１０７の出力信号を、記録することが可能である。さらに、記録再生装置１０９は、記録媒体１０１１に記録された情報を再生し、その情報を受信装置１０７へ出力することが可能である。
【００３５】
さらに、受信装置１０７は、記録再生装置１０９から出力された信号を受信した場合、デジタル放送電波を受信した場合と同様な解析、及び出力動作を行うことにより、表示装置１０８に対する映像、及び音声の出力が可能である。
【００３６】
以下、図１に示されたデジタル放送受信記録再生システムの詳細な動作を説明する。送信機１０１０から放送される番組を、アンテナ１０６を介して受信し、受信装置１０７で受信処理を行い、得られた映像信号、及び音声信号が表示装置１０８にて出力される。
【００３７】
次に、図１に示す受信装置１０７で行われる、放送電波内に含まれる信号、すなわちストリームデータの記録・再生処理について詳細に説明する。本発明で扱うストリームデータは、現状のデジタル放送で使用されている、ＩＳＯ１３８１８−１、ＩＳＯ１３８１８−２等で標準化された、ＭＰＥＧ２方式のものとする。ＭＰＥＧ２方式のストリームデータは、１８８Ｂｙｔｅ単位のＴＳパケットで構成されている。ＴＳパケット中には、ペイロード中に含まれる、伝送すべき情報以外に、各種パケットを区別し、管理するための識別情報（ＰＩＤ：Ｐａｃｋｅｔ  Ｉｄｅｎｔｉｆｉｅｒ）がパケットごとに付加されている。ＰＩＤは、デジタル放送における各チャネル毎に、番組を構成する各種映像、音声、字幕情報などを持つＥＳ（Ｅｒｅｍｅｔｌｙ  Ｓｔｒｅａｍ ）部や、ＰＳＩ（Ｐｒｏｇｒａｍ  Ｓｐｅｃｉｆｉｃａｔｉｏｎ  Ｉｎｆｏｒｍａｔｏｎ）／ＳＩ（Ｓｅｒｖｉｃｅ  Ｉｎｆｏｒｍａｔｉｏｎ）と呼ばれる番組構成情報とを識別するために、それぞれ対応するＰＩＤがそれぞれ規定、もしくは番組ごとに割り当てられている。これらは、一部を除いて動的に割り当てることが可能なものであり、番組中で変化する事も許されている。
【実施例】
【００３８】
（実施例１）
図２は、この発明の実施例１である記録再生装置の構成を示すブロック図であり、図３は、本実施例の場合におけるデータの処理を説明するための図である。この例の記録再生装置は、図２に示すように、アンテナ１０６と、デジタル信号受信処理装置１０１２と、メインメモリ１０１３と、記録媒体１０１１と、記録媒体への記録再生装置１０２３と、映像情報処理装置１０１４と、フレームバッファメモリ１０１５と、音声情報処理装置１０１６とからおよそ構成されている。さらに、デジタル信号受信処理装置１０１２は、チューナ部１０１７と、デスクランブル部１０１８と、ＴＳパケットフィルタ部１０１９と、番組情報管理部１０２０とからおよそ構成されている。
【００３９】
デジタル信号受信処理装置１０１２は、記録再生装置１０９の内部に搭載されており、アンテナ１０６を介して受信した電波を処理し、映像信号と音声信号とを出力する。デジタル信号受信処理装置はメイン処理装置１０２５により、統制を取られて動作する。デジタル信号受信処理装置１０１２内において、チューナ部１０１７は、アンテナ１０６で受信した電波の復調や誤り訂正処理を行い、ＴＳパケットを出力する処理を行う。デスクランブル部１０１８は、チューナ部１０１７から出力されたＴＳパケットが暗号化されていた場合、暗号の復号処理を行う。また、番組情報管理部１０２０は、受信したＴＳパケット情報のＰＳＩ／ＳＩ情報を読み取り、番組ごとのＴＳパケット構成情報の抽出を行い、また、受信したストリームデータに関する番組情報の抽出を可能することを可能とするものであり、ＴＳパケットフィルタ部１０１９は、番組情報管理部１０２０からの情報を利用し、選択された番組を構成するＴＳパケットのみを出力し、不要なＴＳパケットを廃棄することが可能なものである。
【００４０】
メインメモリ１０１３は、記録再生装置１０９の全体の制御を行うための、プログラムやデータを格納するものであり、記録媒体１０１１には、記録再生管理部１０２１、及び記録媒体への記録再生装置１０２３を使用して受信したストリームデータや、受信したストリームデータに対しての管理情報、番組情報等を記録することが可能である。
【００４１】
また、記録媒体１０１１に記録されたストリームデータは、記録再生管理部１０２１、及び記録媒体への記録再生装置１０２３を利用することにより、読み出し、出力を行い、受信した信号と同様に、番組情報管理部１０２０、及びＭＰＥＧ２デコーダ部１０４にデータを渡し、各部で処理を行うことにより、表示装置１０８に出力することが可能である。
【００４２】
映像情報処理部１０１４は、フレームバッファメモリ１０１５を使用し、表示装置１０８に表示するための映像情報の書込、変更、読出の制御を行うものである。フレームバッファメモリ１０１５は、表示装置１０８に表示するための映像情報を格納するためのメモリを有している。音声情報処理部１０１６は、外部からの音声信号をアナログ信号からデジタル信号に変換、または、出力用の音声データをデジタル信号からアナログ信号に変換し、表示装置１０８から出力する処理を行う。
【００４３】
なお、この実施例では記録再生装置内部にデジタル放送信号の処理部（チューナ機構）を内蔵しているように記述してあるが、このチューナ機構は外部器機に依存し、ＴＳパケットフィルタリングを行った後のＴＳパケットのみを記録再生装置に搭載されたデジタルストリーム入出力ポート１０５から受信し、ストリームデータの解析を行わず、もしくは必要最低限のストリームデータ解析を行い、記録再生するだけの器機構成でも良いものとする。なお、ここまでに記述した機器の構成、及び処理は公知の技術である。
【００４４】
次に図２を用いて、この例の場合における、メインメモリ１０１３内の処理パターンの説明を行う。記録再生装置１０９は、デジタル信号受信処理装置１０１２から番組情報を受け取り、番組情報管理部１０２０内で番組情報を分析し、ユーザからの記録指示や、記録したストリームデータの再生指示を受けた場合に、記録再生管理部１０２１に、ユーザの制御に基づく動作を行わせる。記録再生管理部１０２１は、記録時にはＴＳパケットフィルタ部１０１９から受け取ったＴＳデータを解析し、ＰＡＴ、ＰＭＴ、ＰＣＲ、ＤＩＴパケットそれぞれを検索する処理を行い、記録媒体１０１１に、検出されたＰＡＴ、ＰＭＴ、ＰＣＲ、ＤＩＴの中でそれぞれの何れかを先頭にしてＴＳデータを書き込むと同時に、番組管理情報の書き込みを行う。
再生時には、記録媒体１０１１に記録されている番組管理情報から、再生すべきストリームデータを検索し、検索されたストリームデータを読み出し、記録再生管理部１０２１に渡す。
【００４５】
以下、図１、 図２を用いて、実施例１での記録再生装置の動作について説明する。デジタル放送を受信する場合、まずユーザが受信したいチャネルを選択する。これにより、番組情報管理部１０２０が、ユーザによって選択されたチャネルを受信するための電波の周波数情報を取得し、チューナ部１０１７は受信周波数を設定する。次に、番組情報管理部１０２０は、ユーザによって選択された番組を受信するために必要なＴＳパケットのＰＩＤや、番組情報等の、放送を受信するために必要な情報を入手するためのＰＩＤを、受信したＰＡＴ、ＰＭＴパケットから抽出し、ＴＳパケットフィルタ部１０１９に設定する。これにより、番組を構成するＴＳパケットをＭＰＥＧ２デコーダ部１０４に送出することが可能となる。
【００４６】
記録を行う場合には、ユーザからの記録指示は、記録再生管理部１０２１へ伝達される。受信信号は視聴時と同様の処理が行われ、ＴＳパケットフィルタ部１０１９からのストリームデータは、記録再生管理部１０２１の指示により、ストリームデータを、記録媒体への記録再生装置１０２３、及びＭＰＥＧ２デコーダ部１０４の両方へ送られ、受け取ったＴＳデータの解析を行い、ＰＡＴ、ＰＭＴ、ＰＣＲ、ＤＩＴパケットの検索を行い、前記それぞれのパケットが検出されたとき、検出された前記パケットの何れかを先頭にして、ストリームデータを、記録媒体１０１１へ記録する。これと同時に、記録すべきストリームデータの管理情報を生成し、前記ストリームデータに関連付けて、記録媒体１０１１に記録される。ここでのストリームデータ管理情報とは、映像、及び音声の属性情報も含むものとする。
【００４７】
ここでＰＡＴ、ＰＭＴ、ＰＣＲ、ＤＩＴパケットの何れかを先頭にしてを記録媒体１０１１に記録するのは、ストリームデータの再生を行う場合に、これらのパケットの持つ情報を、記録するファイルの先頭に置くことによって、記録データの再生時、記録再生装置１０９の再生時の初期設定を行い、正常な映像と音声を出力することができるとともに、正常な出力が行われるまでの時間的ロス、記録媒体１０１１の容量ロスがないようにして、記録ＴＳデータのスムーズな再生を実現できるようにするためである。
【００４８】
記録されたストリームデータの再生の場合、記録再生管理部１０２１では、ユーザからの再生指示に応じて、再生すべき番組のストリームデータ、及びストリームデータの管理情報の読み出しを行う。ここで、読み出されたストリームデータの管理情報を使用して、映像情報処理装置１０１４、音声情報処理装置１０１６の初期設定を行うことが可能である。読み出された情報は、映像情報処理装置１０１４、音声情報処理装置１０１６初期設定を行うという点が異なるだけで、その他についてはデジタル信号の受信時と同様の処理が行われ、記録された映像と音声を視聴することができる形で表示装置１０８に出力される。
【００４９】
以上のように、実施例１の記録再生装置によれば、ストリームデータを記録する際に、記録指示直後の、ストリームデータを再生するために必要な映像属性、音声属性情報を持ち、ＰＡＴ、ＰＭＴ、ＰＣＲ、ＤＩＴパケットの何れかを先頭にして、記録データを作成するため、再生時には、記録されたストリームデータを、時間的な遅延を最小限にし、直ちに正常に再生することが可能となる。よって、デジタル放送等において使用される、記録されたストリームデータの再生を、スムーズに行うことが可能になる。
【００５０】
実施例１において、ＰＡＴ、ＰＭＴ、ＰＣＲ、ＤＩＴパケットの何れかを先頭に記録すると記述しているが、どのパケットを先頭にするかは、実装、状況にあわせて判断することが望まれる。例えば、ＰＳＩ／ＳＩパケットに対して何の修正も行わずに記録する装置では、ＰＡＴ、もしくはＤＩＴパケットから記録することが望ましい。これは、ＭＰＥＧ２ＴＳの構成の原理によるものである。
【００５１】
ＰＳＩ／ＳＩパケットのＰＩＤ情報を書き換えて記録することが可能なシステムでは、記録すべきストリームデータ中全てのＰＡＴパケット内部に記述されているＰＭＴパケットのＰＩＤと、ＰＭＴパケットＰＩＤをシステム固有のものに書き換えた上で、ＰＭＴ、もしくはＤＩＴパケットから記録することが望ましい。これは、ＰＭＴパケットのＰＩＤを書き換えることにより、ＰＡＴ、ＰＭＴパケットが固有のＰＩＤを持つこととなり、ＰＡＴが無くてもＰＭＴパケットを検出することが可能だからである。
【００５２】
なお、ＤＩＴパケットは、ストリームデータの不連続点を示すパケットであるため、記録しなくとても良いものとする。この場合、ＤＩＴパケットの直後に受信したＰＡＴ、ＰＭＴ、ＰＣＲパケットの何れかを先頭に記録することが可能である。
【００５３】
また、記録指示が出された直後に、ＰＣＲパケットを検出し、その後にＰＡＴ、ＰＭＴパケットが来る場合には、ＰＣＲパケットを先頭にして記録を行っても良い。しかし、ＰＡＴ、ＰＭＴパケットの後、完全に再生可能な映像情報もしくは音声情報が蓄積される前にＰＣＲパケットが含まれる場合は、これに限らず、ＰＡＴ、もしくはＰＭＴパケットを先頭に記録することが望ましい。
【００５４】
（実施例２）
実施例１では、ユーザからの記録開始指示を受けた後、記録再生管理部１０２１において、ＴＳパケット処理部１０１９から受け取ったストリームデータを解析して、記録開始指示直後の、ＰＳＩ／ＳＩ情報、もしくはＰＣＲパケット情報の検索を行い、検出されたＰＡＴ、ＰＭＴ、ＰＣＲ、ＤＩＴパケット以降のストリームデータを、記録媒体１０１１に記録する。このとき、表示装置１０８に表示されている情報は、既にメインメモリ１０１３、及びフレームバッファメモリ１０１５から削除されている場合もあり、再生すべきストリームデータは、記録開始指示時点よりも遅れたものとなる場合がある。
【００５５】
これに対し、ＴＳパケットフィルタ部１０１９から出力されるストリームデータを常に、再生のために、メインメモリ１０１３、またはフレームバッファメモリ１０１５へ保持しておき、記録再生管理部１０２１に送り、さらに記録再生管理部１０２１に、ＦＩＦＯ（Ｆｉｒｓｔ  Ｉｎ  Ｆｉｒｓｔ  Ｏｕｔ）メモリ１０２４を備えることにより、ＴＳパケットフィルタ部１０１９から送られてきたストリームデータを保持しておき、記録開始指示を受けた時点で、保持されているストリームデータを、記録開始指示直前のＰＡＴ、ＰＭＴ、ＰＣＲ、ＤＩＴパケットの何れかを先頭にして記録することにより、記録開始指示時点から遅延なしに、映像と音声を再生できるようにするシステムを構築することが可能である。
【００５６】
実施例２では、このように記録開始遅延を最小化する例の説明を行うものとする。
【００５７】
図３は、本発明の実施例２である記録再生装置におけるデータの処理を説明するための図である。実施例２の記録再生装置の全体の構成は、図２に示された実施例１の場合のメインメモリ１０１３に加えて、ＦＩＦＯメモリ１０２４を有する点が異なる。以下、図３を用いて、実施例２における、ＦＩＦＯメモリ１０２４の役割を説明する。図３において、アンテナ１０６、デジタル信号受信処理装置１０１２、記録媒体１１等、バッファメモリ１０２４回り以外の構成、機能は、図２、及び図３に示された例と同様である。
【００５８】
以下、図１、図３を参照して、この例の記録再生装置１０９の動作について説明する。記録再生管理部１０２１は、ＴＳパケットフィルタ部１０１９から送られてきたストリームデータを、すべてＦＩＦＯメモリ１０２４に保持しておく。この時、ＦＩＦＯメモリ１０２４は、その中に、ＰＡＴ、ＰＭＴ、ＰＣＲ、ＤＩＴパケットの何れかが必ず１個以上含まれるように、デジタル放送ストリームのビットレートをＲｓ（ｂｐｓ：Ｂｉｔｓ  Ｐｅｒ  Ｓｅｃｏｎｄ）とした場合に、Ｒｓ／１０（ｂｉｔｓ）以上、もしくＲｓ／２（ｂｉｔｓ）以上、もしくはＲｓ（ｂｉｔｓ）以上分の容量を有しているものとする。ここでのＦＩＦＯメモリ１０２４の容量は、記録対象とするデジタル放送もしくは、デジタル信号のビットレート、及び実施例１の最後に示したとおりの機器の機能（ＰＳＩ／ＳＩのＰＩＤ情報書き換え機能を有するかどうか）に依存することに注意されたい。一例を挙げると、ＢＳデジタル放送で規定されている最大ビットレートは２４Ｍｂｐｓであり、ＰＡＴの出現間隔は１００ｍｓｅｃ以内と定められているため、２．４Ｍｂのメモリ容量があれば、最低一つのＰＡＴパケットを含むことが可能となる。
【００５９】
ユーザから記録指示を受けたとき、記録再生管理部１０２１は、ＦＩＦＯメモリ１０２４に保持されているストリームデータの解析を行い、ＰＡＴ、ＰＭＴ、ＰＣＲ、ＤＩＴパケットを検索する。検出されたＰＡＴ、ＰＭＴ、ＰＣＲ、ＤＩＴパケット以降のストリームデータを、記録媒体１１に書き込む。ユーザから再生指示を受けたときは、実施例１の場合と同様に行うことが可能である。このような機器を構成することにより、ユーザが記録指示を出した時点のストリームデータを、その直前のＰＡＴ、ＰＭＴ、ＰＣＲ、ＤＩＴパケットを先頭として記録し、再生することが可能なので、ユーザが希望するストリームデータを、記録開始指示時点から遅延なしに記録、及び再生することが可能となる。
【００６０】
このように、実施例２の記録再生装置によれば、ストリームデータを記録する際に、記録開始指示直前の、ストリームデータを再生するために必要なＰＡＴ、ＰＭＴ、ＰＣＲ、ＤＩＴパケットを持つストリームデータを記録するので、再生時には、記録開始指示時点からストリームデータデータを、遅延なしに再生することができる。
【００６１】
なお、実施例２の場合は、記録されたストリームデータは、ユーザが記録開始指示を出す前からＦＩＦＯメモリ１０２４に保持されていたデータであるため、記録開始指示時点以前の映像まで記録している場合あるが、ストリームデータ管理情報として、記録指示が出された時点の時刻情報を保持しておき、再生時には管理情報の時間情報を参照して出画、出音タイミングを調整すればよい。
【００６２】
なお、記録開始の場合のＰＡＴ、ＰＭＴ、ＰＣＲ、ＤＩＴパケットの選択は、実施例１のものと同様とする。
【００６３】
また実施例２において、ＭＰＥＧ２デコーダ部１０４と連携し、完全に再生可能な映像情報、もしくは完全に再生可能な音声情報何れかの先頭を持つ映像パケット、もしくは音声パケットの直前のＰＡＴ、ＰＭＴ、ＰＣＲ、ＤＩＴパケットから記録する事も考えられる。このためには、ＦＩＦＯメモリ１０２４中に保持されているストリームデータ内の映像パケットをＭＰＥＧ２デコーダ１０４で解析し、シーケンスヘッダ（Ｓｅｑｕｅｎｃｅ  Ｈｅａｄｅｒ）もしくはＩ−Ｐｉｃｔｕｒｅの検出を行い、またはＦＩＦＯメモリ１０２４中に保持されている音声パケットを音声デコーダで解析し、音声フレーム先頭の同期情報を検出し、これらの情報を元に、解析により検出された地点の直前のＰＡＴ、ＰＭＴ、ＰＣＲ、ＤＩＴパケットから記録を始めると良い。このように記録再生装置１０９を構成することにより、完全にデコード可能な映像情報、もしくは音声情報を持ちつつ、ストリームデータ中の番組を構成する基本情報であるＰＳＩ／ＳＩ情報の先頭、もしくはＰＣＲパケットから記録が可能となるため、再生指示を受けた直後に、映像、及び音声の出力が可能となる。
【００６４】
（実施例３）
実施例１、実施例２で記述した通りの方法を用いることにより、記録指示を行った時点からの記憶媒体容量の無駄を最小化し、再生開始までの時間遅延を最小化することが可能となるが、これ以外にも再生開始遅延を最小化する方法がある。この手段について、実施例３で説明する。
【００６５】
機器の基本的構成は、実施例１、または実施例２で説明したものと同様とする。
【００６６】
以下、実施例３での要となる点を説明する。実施例１、実施例２で説明した通り、記録対象のストリームデータを記録する際に、ストリームデータに関連するストリームデータ管理情報を同時に記録するが、この管理情報として、映像情報処理装置１０１４にて、記録ストリームデータの映像属性情報（解像度、フレームレート、アスペクト比等）、及び、又は音声情報処理装置１０１６において音声属性情報（音声コーデックの種類、ビットレート、チャンネル数、サンプリングレート等）を解析し、記録することが可能であるが異なる器機で記録された記録媒体１０１１を再生する場合や、異なる器機で編集操作を行われた記録媒体１０１１を再生する場合には、この情報を単純に信用して記録再生装置１０９の初期設定を行い、再生を開始すると、管理情報と対応するストリームデータの間の情報ずれがあった場合、表示装置１０８や、ユーザに対して致命的な損傷を与える場合が発生することが考えられる。
【００６７】
そこで、ストリームデータの管理情報に対して、メーカ独自の情報を付加することで、このような状況の発生を防ぐことが可能となる。
【００６８】
メーカ独自の情報は、ＤＶＤ−ＶＲ規格や、Ｂｌｕ−ｒａｙＤＩＳＣ  Ｒｅｗｒｉｔａｂｌｅ規格などで付加することが可能であるように規定されている（不図示）ので、これを利用するものとする。
【００６９】
実施例３で付加するメーカ独自情報の内容は、ストリームデータとそのストリームデータに対応する管理情報の信頼性情報とする。つまり、記録されているストリームデータとその管理情報における、ストリームデータ属性情報が一致していれば、「信頼性あり」、一致していない場合は「信頼性なし」という情報をメーカ独自情報として付加する。
【００７０】
前記信頼性情報の解析タイミングは、ユーザから再生指示が出された直後に行うか、もしくは記録媒体１０１１が記録再生装置１０９に装填されており、ユーザが記録再生等の記録媒体操作の指示を与えられていない間に、自動で実行することが可能である。
【００７１】
ただし、再生指示直後の解析を行うと、実際の再生開始までに遅延が発生するため、可能な限り、アイドル時に自動で実行するものとし、再生指示が出された場合には、メーカ独自情報内の、信頼性情報のみをチェックすればよい。
【００７２】
しかし、一度記録媒体１０１１が機器から排出されると、メーカ独自情報内の信頼性情報自体の信頼性がなくなってしまうため、排出時にはこの信頼性情報を破棄、もしくは記録媒体排出情報をメーカ独自情報内に記述することとする。
【００７３】
実施例３は、特に光ディスク等のリムーバブルメディアよりも、固定記録媒体（ＨＤＤ等）で有用なものとなる。ＨＤＤの場合は、高速データアクセスが可能であり、映像情報処理装置１０１４もしくは音声情報処理装置１０１６が複数搭載されているか、複数入力の場合も処理が行えるように構成しておけば、再生、もしくは記録動作中にも信頼性情報の構築が可能となる。また、ＨＤＤ等は排出される事も殆どありえないので、信頼性情報の破棄を行う必要もないと考えられる。
【００７４】
さらに、信頼性情報の解析時に、「信頼性なし」と判断された場合は、対応する管理情報の再構築を行い、「信頼性あり」の状態に変化させても良いものとする。
【００７５】
以上、この発明の実施例を図面を使用して詳述してきたが、具体的な構成はこの実施例に限られたものではなく、この発明の要旨を逸脱しない範囲の設計の変更等があってもこの発明に含まれるものとする。
【００７６】
例えば、本発明はデジタル放送を主眼に置いているが、ＭＰＥＧ２ＴＳの形を取るストリームデータで有れば、どのような入力信号でも応用できる。
また、本発明では、デジタル信号の入力に主眼を置いているが、アナログ信号を入力し、それをアナログからデジタルに変換して記録する場合に応用しても良い。
また、メイン処理装置は、デジタル信号受信処理装置１０１２の中に記載しているが、この外に持たせても良いものとする。
【００７７】
また、記録媒体についても、光ディスク、ＨＤＤだけではなく、半導体メモリ、テープメディア、光磁気ディスクにも応用出来る。
また、前述してあるが、チューナ部は記録再生装置と一体でなく、外部接続型のものでも良い。
【００７８】
また、ＰＳＩ／ＳＩ情報、もしくはストリームデータ内時間情報として、ＰＡＴ、ＰＭＴ、ＰＣＲ、ＤＩＴを挙げているが、それ以外のものを基準としても良い。
また、記録開始時点の基準として、映像情報、音声情報を挙げているが、これに限らず、データ放送の開始点（データカルーセルの先頭）、字幕データの開始点等でも良いものとする。
【００７９】
また、記録の規格として、ＤＶＤ−ＶＲ規格や、Ｂｌｕ−ｒａｙＤＩＳＣ  Ｒｅｗｒｉｔａｂｌｅ規格を挙げたが、それ以外の規格でも、メーカ独自情報が定義されているものならば、応用可能とする。
【００８０】
また、実施例３における信頼性情報解析のタイミングは、実施例３に挙げただけの物と限らず、例えば、記録媒体が挿入されており、記録再生装置の電源が入っていない状態（待機中）でもよい。
【産業上の利用可能性】
【００８１】
本発明にかかる情報記録再生装置及び情報記録再生方法は、ストリームデータを記録する際に、ストリームデータを再生するために必要な番組構成情報を先頭に記録するため、記録したストリームデータを直ちに正常に再生することができ、動画像データ、静止画データ、オーディオデータ、データ放送等、種々のフォーマットのデータを含むマルチメディアデータを記録可能な情報記録装置および方法として有用である。
【図面の簡単な説明】
【００８２】
【図１】デジタル放送受信システム概略図
【図２】実施例１の装置構成の概略図
【図３】実施例２の装置構成の概略図
【符号の説明】
【００８３】
１０１    デジタルストリーム入力ポート
１０２    記録再生処理部
１０３    記録媒体
１０４    ＭＰＥＧ２デコーダ部
１０５    デジタルストリーム入出力ポート
１０６    アンテナ
１０７    受信装置
１０８    表示装置
１０９    記録再生装置
１０１０    送信機
１０１１    記録媒体
１０１２    デジタル信号受信処理装置
１０１３    メインメモリ
１０１４    映像情報処理装置
１０１５    フレームバッファメモリ
１０１６    音声情報処理装置
１０１７    チューナ部
１０１８    デスクランブル部
１０１９    ＴＳパケットフィルタ部
１０２０    番組情報管理部
１０２１    記録再生管理部
１０２３    記録媒体への記録再生装置
１０２４    ＦＩＦＯメモリ
１０２５    メイン処理装置
【図１】
2005198143.tif 000003
【図２】
2005198143.tif 000004
【図３】
2005198143.tif 000005